(57)【要約】  本発明は、健康、カロリー燃焼、および幸福感を高めるような仕方で高さ調節可能なテーブルを使用するようにユーザを支援しかつ動機付けることのできる、改善された高さ調節可能なテーブル（１）に関する。テーブルは、各ユーザ個人に適合するテーブルの構成を容易にするために、ユーザ特定的な装置を接続し、高さ調節可能なテーブルのその特定のゲストユーザのための一組のユーザ値をコントローラに提供するための通信インタフェースを特徴とする。【選択図】  １
2020525056.tif 000002
【特許請求の範囲】
【請求項１】
少なくとも一つのリニアアクチュエータ（３）を含むリニア電動アクチュエータシステムと、
コントローラ（９）と、
テーブルの実際の高さ調節レベルを決定し、前記コントローラに情報を提供するためのシステムと、
前記テーブルのユーザ作動式高さ調節用の作動キーを持つ操作ユニット（６）と、
前記コントローラに関連付けられ、好適な高さ調節レベル設定に関するユーザ設定を表す少なくとも一つの値を保存するためのプログラム可能なメモリと、
を備えた高さ調節可能なテーブル（１）であって、
前記コントローラがさらに、
前記コントローラと通信するための通信インタフェースと、
前記コントローラに関連付けられ、好適な高さ調節レベル設定に関するユーザ設定を表す値を保存するためのワーキングメモリと、
を含み、
前記ワーキングメモリには第一モード時にデフォルトで、前記コントローラに関連付けられた前記プログラム可能なメモリに保存された値が投入され、
あるいは第二モード時に前記コントローラと通信するための前記通信インタフェースを介して伝達される値が投入される、
ことを特徴とする、高さ調節可能なテーブル（１）。
【請求項２】
前記通信インタフェースは、個々のユーザのユーザ設定を保存する装置を接続するための接続装置である、請求項１に記載の高さ調節可能なテーブル。
【請求項３】
前記通信インタフェースはプラグまたはソケット接続部を形成する有線接続装置である、請求項２に記載の高さ調節可能なテーブル。
【請求項４】
前記有線接続装置と接続するための装置は、前記ユーザ設定を表す値を維持するように適応されたハードウェアドングルである、請求項３に記載の高さ調節可能なテーブル。
【請求項５】
前記ドングルはメモリスティックまたはＳＤメモリカード、フラッシュドライブなどのようなデータキャリアであり、前記通信インタフェースおよび前記コントローラは前記ドングルに保存されたデータを受け取りかつ利用するように適応された、請求項４に記載の高さ調節可能なテーブル。
【請求項６】
前記通信インタフェースは、インターネットを介して直接または間接的にモバイル装置と通信するための無線インタフェースであり、前記個々のユーザのユーザデータは前記モバイル装置に保存され、そこから配布することができる、請求項１に記載の高さ調節可能なテーブル。
【請求項７】
前記モバイル装置は前記コントローラの無線アクセスのためのユーザインタフェースであり、操作パネルのユーザインタフェースに対する代替的ユーザインタフェースとなる、請求項６に記載の高さ調節可能なテーブル。
【請求項８】
前記モバイル装置には、ユーザを支援するための座位／立位間隔、ならびに好適な座位および立位高さ調節設定、ならびにエクササイズ履歴のようなユーザ特定的な情報および好みを保存するためのアプリの形のユーザインタフェースが設けられる、請求項６に記載の高さ調節可能なテーブル。
【請求項９】
前記通信インタフェースを介して接続が維持されている間は前記テーブルを個人専用にするために、ユーザ特定的な情報が前記コントローラの前記ワーキングメモリに転送されることを前提としてテーブルおよび接続された装置のペアリングセッションが行われる、請求項１ないし８のいずれかに記載の高さ調節可能なテーブル。
【請求項１０】
前記無線インタフェースは、以下の一つ、すなわちブルートゥース、ＷＩＦＩ、ＺｉｇＢｅｅ、ＧＳＭ、ＥＤＧＥ、３Ｇ、４Ｇ、５Ｇ、または専用プロトコルを含む、請求項６に記載の高さ調節可能なテーブル。
【請求項１１】
前記作動キーをユーザが作動させると、前記コントローラは連続的に、前記テーブルの実際の高さ調節レベルに関する情報を前記プログラム可能なメモリに保存された値と比較し、値が等しくなるかあるいは値の交換優勢がそれぞれ生じた場合、コントローラは、テーブルの高さ調節が今、前記プログラム可能なメモリに保存されたユーザ設定によって示された好適な高さ設定に達したことをユーザに知らせるために、前記電動リニアアクチュエータへの電力の供給を中断することを特徴とする、請求項１ないし１０のいずれかに記載の高さ調節可能なテーブル。
【請求項１２】
ユーザが作動させた前記作動キーが、前記電動リニアアクチュエータへの電力供給の中断中に連続的に作動状態に維持されているときに、前記電動リニアアクチュエータの電源は、前記コントローラにおける設定によって定義された遅延時間の経過後に再び接続されることを特徴とする、請求項１１に記載の高さ調節可能なテーブル（１）。
【請求項１３】
ユーザが作動させた前記作動キーが解放され、前記電動リニアアクチュエータへの電力供給の中断中に再び作動すると、前記電動リニアアクチュエータの電源は遅延無く再び接続されることを特徴とする、請求項１０に記載の高さ調節可能なテーブル（１）。
【請求項１４】
ユーザが作動させると、前記作動キーのダブルタブが実行され、前記作動キーを解放すると、前記コントローラはこれを、メモリ位置に到達するまで前記電動リニアアクチュエータに電力を提供するための信号として認識し、メモリ位置に到達すると前記コントローラは前記電動リニアアクチュエータへの電源を切断し、前記コントローラは、前記電動リニアアクチュエータに電力を提供する前にユーザによるさらなる作動を待つことを特徴とする、請求項１０に記載の高さ調節可能なテーブル（１）。
【請求項１５】
前記作動キーのダブルタブ作動は作動キーの第三の作動を実行することによってリセットすることができ、それは前記コントローラによって前記電動リニアアクチュエータへの電力切断の要求として認識されることを特徴とする、請求項１４に記載の高さ調節可能なテーブル（１）。
【請求項１６】
前記遅延時間値は０．１〜５秒の範囲内であり、好適な値は１秒であることを特徴とする、請求項１２に記載の高さ調節可能なテーブル（１）。
【発明の詳細な説明】
【技術分野】
【０００１】
本発明は、高さ調節可能なテーブルおよびそのようなテーブルを操作する方法に関する。高さ調節可能なテーブルは座位／立位デスクとしても知られる。
【背景技術】
【０００２】
一般的な高さ調節可能なテーブルは、天板が装着されるフレームを備える。フレームは、昇降柱の形の少なくとも一つのリニアアクチュエータの一端に取り付けられる。昇降柱の他端には足が装着される。これらの種類の昇降柱の例として、どちらもＬＩＮＡＫ  Ａ／ＳのＷＯ２００４／０４０１６９Ａ１およびＷＯ２００９／０３３４８６Ａ１が参照される。電動昇降柱はコントローラおよび操作パネルに接続される。これらのユニットを合わせてリニアアクチュエータシステムと呼ぶ。
【０００３】
リニアアクチュエータシステムを備えた高さ調節可能なテーブルは広く普及するようになってきているが、多くのユーザがその最も明白な機能性、すなわち高さ調節を利用していないことは事実である。これは、日中の運動が健康に対して、特に我々の代謝に対して有する既知の利点とは対照的である。立位および移動は座位より多くのカロリーを燃焼し、ユーザの脚の筋肉を働かす。立位時により高いカロリーが燃焼すること以外に、日中の立位および移動は、ユーザの循環、エネルギ、ストレス、および全体的幸福感を改善することも立証されている。着座位置から立位位置に移行する行為だけでも、身体を重力に抗して働かせることになり、我々の安定筋を強化するのに役立つ。一般的に、デスクワーク労働者は平均就業時間中に座位および立位を混合すること、つまり１時間以内の座位または立位の後、位置を交代することが推奨される。推奨される目標は、就業時間中に１２０分余分な立位を取るように努力し、少なくとも８〜１６回姿勢を切り替えることである。
【０００４】
さらに、立位位置を取ると、労働者の効率は向上することが認識されるようになった。
【０００５】
高さ調節可能なテーブルは、複数のユーザが同じテーブルを時分割共用する、つまり作業場所または作業テーブルを定期的に交代する環境では、特に高く評価される。これは例えば交代制勤務のコールセンタの場合、あるいは特定の時間に特定の技術を必要とするプロジェクトに企業の資源を移動させるために、一緒に着席するプロジェクトチームの構成員が入れ替えられる場合に当てはまる。調節可能なテーブルの同じ時分割共有は、ゲーミングコミュニティ、公共図書館、あるいはコンピュータ設備の有無に関わらずオフィステーブルを賃貸し、設備の占有経過時間を計算して時間単位で支払うことのできるオフィススペースホテルの場合にも該当し得る。
【０００６】
高さ調節可能なテーブルの利用可能性は、卓上面の座位および立位時の高さレベルを、ユーザが快適に感じると共に、背部や頸部の問題を防止するためにユーザにとって人間工学的に正しいレベルに調節することが可能であるので、個々のユーザにとって有利である。
【０００７】
テーブルの高さレベルを個々のユーザに合わせて調節する能力を有することは、したがってテーブルが非常に異なる体形のユーザに利用可能になるので、有利である。一例として、テーブルは各ユーザ個人に合わせて調節することができるので、高さ調節設定で何ら譲歩することなく、非常に背の高い人と背の低い人または子供が同じテーブルを使用することができる。
【０００８】
しかし、ユーザがテーブルを完璧な設定状態に調節することは難しい課題であり得、それはテーブルが誤調節される状況を招くおそれがあり、それはユーザの背部、頸部、および頭部の痛みを生じかねない。さらに、新しい就業日またはユーザセッションを開始できる前にテーブルの慎重な高さ調節を実行することは、ユーザにとって煩わしくかつ時間のかかる毎日の、または頻発する作業である。
【０００９】
問題の解決策は、ユーザの「完璧な」高さ調節設定を保存するためのメモリを加えることによって示唆され、それは、選択されたときに、ユーザがテーブルを好適な、保存された高さ調節位置にリセットするのを支援することができる。しかし、この構成はテーブルの一人のユーザにとって有益であっても、前に示した活用のシナリオによれば、毎日または定期的に同じテーブルを利用する人間は二名以上存在するかもしれないので、問題は完全には解決されない。テーブルは早い者勝ちで利用され、したがって特定の人用に予約されていないかもしれない。
【００１０】
高さ調節可能なテーブルのユーザがテーブルの完璧な個人的高さ調節をワンタッチで、それ以上の微調節動作を必要とすることなく、達成するのを支援するという概説した問題を解決する必要があるように思われる。
【００１１】
さらに詳しくは、少なくとも一つの、好ましくは二つ以上の正確かつ再現可能な位置設定を天板の個人的高さ調節のために入手できるようにすべきであり、各設定はテーブルの前の立位または座位位置を表す。
【先行技術文献】
【特許文献】
【００１２】
【特許文献１】国際公開第ＷＯ２００４／０４０１６９Ａ１号
【特許文献２】国際公開第ＷＯ２００９／０３３４８６Ａ１号
【発明の概要】
【００１３】
本発明の目的は、ユーザが高さ調節可能なテーブルを正確かつ再現可能な好適な高さに調節するのを支援することのできる、改善された高さ調節可能なテーブルを提供することである。
【００１４】
本発明によれば、これは、コントローラと通信するための通信インタフェースと、コントローラに関連付けられ、好適な高さ調節レベル設定に関するユーザ設定を表す値を保存するためのワーキングメモリとをさらに備えるように、コントローラを変更することによって達成され、ワーキングメモリは第一モード時にデフォルトで、コントローラに関連付けられたプログラム可能なメモリに保存された値が投入され、あるいは第二モード時にコントローラと通信するための通信インタフェースを介して伝達された値が投入される。
【００１５】
さらに詳しくは、本発明は、少なくとも一つのリニアアクチュエータを含むリニア電動アクチュエータシステムと、コントローラと、テーブルの実際の高さ調節レベルを決定し、情報をコントローラに提供するためのシステムと、テーブルのユーザ作動式高さ調節用の作動キーを持つ操作ユニットと、コントローラに関連付けられ、好適な高さ調節レベル設定に関するユーザ設定を表す少なくとも一つの値を保存するためのプログラム可能なメモリとを備えた高さ調節可能なテーブルであって、コントローラがさらに、コントローラと通信するための通信インタフェースと、コントローラに関連付けられ、好適な高さ調節レベル設定に関するユーザ設定を表す値を保存するためのワーキングメモリとを含み、ワーキングメモリには第一モード時にデフォルトで、コントローラに関連付けられたプログラム可能なメモリに保存された値が投入され、あるいは第二モード時にコントローラと通信するための通信インタフェースを介して伝達された値が投入されて成る、高さ調節可能なテーブルに関する。
【００１６】
お分かりの通り、ユーザは、通信インタフェースを介してコントローラに利用可能な設定を提供することによって、高さ調節可能な天板の好適な設定に関する個人情報を適用し、個人設定を利用することができる。
【００１７】
通信インタフェースは、個々のユーザのユーザ設定を保存し、かつさらに天板の高さをユーザの好適な高さに厳密に調節するために個々のユーザ設定をコントローラが利用できるようにする装置を高さ調節可能なテーブルのコントローラに接続するための接続装置であることが、より好都合である。
【００１８】
一実施形態では、通信インタフェースは、プラグまたはソケット接続部を形成する有線接続装置である。換言すると、コントローラは、特にユーザ設定に関するデータをインポートするように適応された接続装置を有し、接続装置はまた、高さ調節可能なテーブルの座位および立位高さレベルの保存値の計数をも行う。
【００１９】
一実施形態では、有線接続装置と接続するための装置は、ユーザ設定を表す値を維持するように適応されたハードウェアドングルとして開示される。ハードウェアドングルは、ユーザに追従しかつ接続インタフェースを介してユーザ特定的な設定をコントローラに送達するように働くために、ユーザが容易に保持することができる。
【００２０】
特定の実施形態では、ドングルはメモリスティックあるいはＳＤメモリカード、フラッシュドライブなどのようなデータキャリアであり、通信インタフェースおよびコントローラは、ドングルに保存されたデータを受け取りかつ利用するように適応される。
【００２１】
別の実施形態では、通信インタフェースは、インターネットを介して直接または間接的にモバイル装置と通信するための無線インタフェースである。個々のユーザのユーザデータはモバイル装置に保存され、ここから無線接続インタフェースを介してコントローラに配布することができる。
【００２２】
さらなる実施形態では、モバイル装置は、コントローラに無線アクセスするためのユーザインタフェースを含み、それは操作パネルユーザインタフェースに対する代替的ユーザインタフェースになる。
【００２３】
高く評価される実施形態では、モバイル装置には、ユーザを支援するための座位／立位間隔、ならびに好適な座位および立位高さ調節設定、ならびにエクササイズ履歴などのユーザ特定的な情報および好みを保存するためのアプリの形のユーザインタフェースが設けられる。設定はコントローラから接続インタフェースを介してダウンロードすることができ、あるいはアプリに直接打込むことができる。テーブルを利用し、かつアプリに保存されたユーザ特定的な好みの設定を適用することが必要になったときに、設定は接続インタフェースを介してコントローラに容易にアップロードされる。他のアプリからのデータへのアクセス、またはデータのミラーリングもしくはバックアップは例えばインターネットを介して提供されかつサポートされる。
【００２４】
一実施形態では、少なくとも通信インタフェースを介して接続が維持されている間はテーブルを個人専用するために、ユーザ特定的な情報をコントローラのワーキングメモリに転送する前に、テーブルおよび接続された装置のペアリングセッションが実行される。
【００２５】
さらに、無線インタフェースの実施形態は以下の一つ、すなわちブルートゥース、ＷＩＦＩ、ＺｉｇＢｅｅ、ＧＳＭ、ＥＤＧＥ、３Ｇ、４Ｇ、５Ｇ、または専用プロトコルを含む。
【００２６】
本発明のさらに別の実施形態では、高さ調節可能なテーブルは、少なくとも一つのリニアアクチュエータをさらに含むリニア電動アクチュエータシステムと、コントローラと、テーブルの実際の高さ調節レベルを決定し、コントローラに情報を提供するためのシステムと、テーブルのユーザ作動式高さ調節用の作動キーを持つ操作ユニットと、コントローラに関連付けられ、好適な高さ調節レベル設定に関するユーザ設定を表す少なくとも一つの値を保存するためのプログラム可能なメモリとを備え、作動キーをユーザが作動させると、コントローラは連続的にテーブルの実際の高さ調節レベルに関する情報をプログラム可能なメモリに保存された値と比較し、値が等しくなるかあるいは優位性が変化した場合にそれぞれ、テーブルの高さ調節が今、プログラム可能なメモリに保存されたユーザ設定によって示された好適な高さ設定に達したことをユーザに示すために、コントローラは電動リニアアクチュエータへの電力の供給を中断する。
【００２７】
さらに、コントローラは、ユーザが作動させた作動キーが電動リニアアクチュエータへの電力供給の中断中に作動し続けている場合、コントローラでの設定によって定義された遅延時間の経過後に、電動リニアアクチュエータへの電力供給を再接続するように反応するように構成される。遅延時間の値は、０．１〜５秒の範囲内でプログラム可能であり、好適な値は１秒である。
【００２８】
さらに、コントローラは、ユーザが作動させた作動キーが解放され、電動リニアアクチュエータへの電力供給の中断中に再び作動させると、電動リニアアクチュエータへの電力供給が遅延なく再び接続されるように反応するように構成される。
【００２９】
さらに、コントローラは、ユーザが作動させると、作動キーのダブルタブを実行し、作動キーを解放すると、これを、メモリ位置に到達するまで電動リニアアクチュエータに電力を提供するための信号として認識するように構成され、メモリ位置に到達すると、コントローラは自動的に電動リニアアクチュエータへの電力を切断し、かつコントローラは、電動リニアアクチュエータに電力を供給する前に、ユーザによるさらなる作動を待つ。
【００３０】
作動キーのダブルタブ作動によって要求される動作は、作動キーの第三の作動を実行することによってリセットすることができ、それはコントローラによって電動リニアアクチュエータへの電力切断の要求として認識される。
【００３１】
本発明の実施形態について以下で、添付の図面を参照しながらさらに詳しく説明する。
【図面の簡単な説明】
【００３２】
【図１】高さ調節可能なテーブルの斜視図を示す。
【図２】座位位置の高さ調節可能なテーブルを示す。
【図３】立位位置の高さ調節可能なテーブルを示す。
【図４】高さ調節可能なテーブルの略図である。
【図５】外部ユニットを接続するための通信インタフェースを有する高さ調節可能なテーブルの略図である。
【図６】操作パネルの斜視図である。
【発明の実施の形態】
【００３３】
図１は、天板２を備えた高さ調節可能なテーブル１の斜視図を示す。高さ調節可能なテーブル１の両側で、昇降柱３の形のリニアアクチュエータは、天板２がその上に装着される担持フレーム（図示せず）内に装着される。各昇降柱３の他端は足４を備え、その上に高さ調節可能なテーブル１が立設される。昇降柱３は駆動ユニット（図示せず）と、二つまたは三つの相互に入れ子式に配設されたプロファイルとを備える。一つのプロファイル５は足４に定置固定され、一つのプロファイル（参照せず）はモータ筐体に定置固定される。各昇降柱３は、ギヤを介してスピンドルを駆動する電気モータによって駆動される。スピンドルには、入れ子式に移動可能なプロファイルに固定されたスピンドルナットが設けられる。天板２の高さ調節はこうして、昇降柱３によって実行される。調節は操作パネル６を作動させることによって達成される。
【００３４】
図２および図３は、それぞれ座位位置７および立位位置８にある、高さ調節可能なテーブル１の側面図を示す。昇降柱３の長さは調節することができるので、座位位置７および立位位置８は、高さ調節可能なテーブル１の各ユーザ個人の身体的特徴および個人的好みに合わせて設定することができる。
【００３５】
図４は、リニアアクチュエータ３と、コントローラ９と、高さ調節可能なテーブル１の実際の高さ調節レベルを決定するためのシステム１０と、操作パネル６とを備えた高さ調節可能なテーブル１の略図を示す。
【００３６】
実際の高さ調節レベルを決定するためのシステム１０は、リニアアクチュエータ３に組み込まれた電位差計またはホールセンサによって、あるいは光センサなど他の検出手段によって決定することができる。実際の高さ調節レベルを決定するためのシステム１０は、実際の高さ調節レベルに関する入力情報をコントローラ９に提供する。
【００３７】
操作パネル６は、適切な電気エネルギ源（図示せず）から少なくとも一つのリニアアクチュエータ３に電力を供給することによって、高さ調節可能なテーブル１の高さレベルの調節を要求するユーザによる作動のために、コントローラ９に接続される。
【００３８】
コントローラ９は、座位位置７または立位位置８に対する少なくとも一つの高さ調節設定７、８を保存するためのメモリ１１を備える。図５に示すように、コントローラ９は操作パネル６の作動によって直接操作することができる。操作パネル６の一例を図６に示す。操作パネル６は傾けることによって操作されることが、より好都合である。操作パネル６を傾け続けると、高さ調節可能なテーブル１は上方に駆動される。同様に操作パネル６を押し続けると、高さ調節可能なテーブル１は下方に駆動される。操作パネル６を解放すると、高さ調節可能なテーブル１は要求された位置で停止する。
【００３９】
操作パネル６を介して、座位位置７または立位位置８に対する高さ調節設定７、８を保存することが可能である。
【００４０】
メモリ位置を保存した後、単に操作パネル６を傾けるだけで、その位置に到達することができる。保存された位置に到達すると、高さ調節可能なテーブル１は停止する。このようにして、ユーザは、その間操作パネル６を見ることなく、座位位置７と立位位置８とを容易に変更することができる。
【００４１】
操作パネル６は、高さ調節可能なテーブル１のストローク長さ中に、全ての保存されたメモリ値で停止する。高さ調節可能なテーブル１がメモリ位置で停止するときに、ユーザは操作パネル６を例えば１秒間傾け続けることができ、高さ調節可能なテーブル１はメモリ位置を超えて傾きの方向に移動し続ける。さらに、高さ調節可能なテーブル１がメモリ位置で停止したときに、ユーザは操作パネル６を解放し、すぐに再び傾けてメモリ位置を超えて移動させることができる。
【００４２】
保存されたメモリ位置は操作パネル６のダブルタブによって到達することもでき、それによって高さ調節可能なテーブル１は、ダブルタブの方向に最初のメモリ位置に自動的に調節される。操作パネル６を再びタブすると、高さ調節可能なテーブル１は停止する。
【００４３】
記憶された高さ調節設定は、コントローラ９に配設されたメモリに保存される。デフォルトでは、このメモリ設定は、コントローラに配設されたメモリに保存された設定をそのまま維持するように働くワーキングメモリにコピーされる。こうして、コントローラはワーキングメモリ内の設定を使用して、記憶された高さ調節設定を決定する。ゲストユーザがテーブルを利用したい場合、ユーザは、有線／無線通信インタフェースを介して、自分自身の個人用装置をコントローラに接続することができる。装置が接続されると、その個人用装置に保存されたユーザ設定が有線／無線通信インタフェースを介してコントローラに転送され、ワーキングメモリ内の設定を書き換える。個人的装置が有線／無線インタフェースを介してコントローラに接続されない場合、コントローラに配設されたメモリに保存された設定は影響されないが、デフォルト設定値は維持されることに留意されたい。
【００４４】
通信インタフェースを介してコントローラに接続するために、様々な装置を予見することができる。単純な実施形態では、装置は、ドングルに保存されたユーザ設定を取り込むためにコントローラ９によって利用することのできるメモリ付きの有線ドングルである。有線無線を問わずより高性能の装置は、ユーザインタフェースを提供するために通信インタフェースを介して接続可能であり、コントローラ９に伝達しワーキングメモリで使用することのできる特定のユーザのユーザ設定をメモリ内に維持する操作パネルとすることができる。さらなる実施形態は、個人ユーザデータを維持しており、通信インタフェースを介してコントローラに接続されたときにユーザ設定をワーキングメモリで使用するためにコントローラに伝達する、例えばタブレットまたはモバイルハンドセットのような無線装置上のアプリとすることができる。
【００４５】
ここで充分に立証されるように、高さ調節可能なテーブル天板に使用される好適な立位位置および座位位置の少なくともユーザ設定に関する個人ユーザデータを携行し、テーブルを占有するときに、テーブルがあたかも個人用テーブルであるかのように使用するためにテーブルを構成するため、個人ユーザ設定を転送し、テーブルから退去するときに、通信インタフェースを切断し、テーブルを再び元のように、当初保存されていた頻繁なユーザまたは毎日のユーザの好みの設定にしてテーブルを離れることが可能である。こうして、高さ調節可能なテーブルは、テーブルの座位または立位の高さ調節レベルの誤調節に関係して健康障害を生じるリスク無く、ゲストユーザのニーズに容易に適応することができる。
【図１】
2020525056.tif 000003
【図２】
2020525056.tif 000004
【図３】
2020525056.tif 000005
【図４】
2020525056.tif 000006
【図５】
2020525056.tif 000007
【図６】
2020525056.tif 000008
【国際調査報告】
2020525056.tif 000009
2020525056.tif 000010